Podtech/llm-jp-corpus-v4-ja_patent huggingface dataset:
【手続補正書】
【提出日】平成17年6月22日(2005.6.22)
【手続補正１】
【補正対象書類名】特許請求の範囲
【補正対象項目名】全文
【補正方法】変更
【補正の内容】
【特許請求の範囲】
【請求項１】
コークスを作るディレードコーキング方法であって、
（ａ）加熱した原料を充填サイクルの間に第1のドラム入口温度でコーキングドラムに供給する工程と、
（ｂ）前記ドラム入口温度を前記充填サイクルの間に前記第1のドラム入口温度よりも少なくとも１．１１℃（２°Ｆ）高い別のドラム入口温度まで上げる工程と
を含むディレードコーキング方法。
【請求項２】
（ａ）前記原料を第１の充填速度で前記コーキングドラムに供給し、前記充填速度を前記充填サイクルの少なくとも一部の間に前記第１の充填速度よりも低い別の充填速度まで下げる工程、
（ｂ）前記原料を前記コーキングドラムに供給し、前記ドラムは前記充填サイクルの間に第１の圧力をもち、前記圧力を前記充填サイクルの少なくとも一部の間に前記第１の圧力よりも低い別の圧力まで下げる工程、
（ｃ）コーカー再循環流を前記充填サイクルの少なくとも一部の間に前記コーキングドラムに供給する工程、および
（ｄ）前記コーキングドラムを所望のレベルまで充填した後に、前記コーキングドラムの内容物を熱処理する工程
の少なくとも１つをさらに含む請求項１に記載の方法。
【請求項３】
前記原料をコーカー再循環流と混合して混合物を形成し、前記混合物を前記充填サイクルの少なくとも一部の間に前記コーキングドラムに供給する請求項１または２に記載の方法。
【請求項４】
前記コーカー再循環流は、重炭化水素留分を含む請求項２または３に記載の方法。
【請求項５】
前記コーカー再循環流は、重質コーカーガス油を含む請求項２ないし４のいずれか１項に記載の方法。
【請求項６】
前記ドラム入口温度を、前記充填サイクルの最初の７５％の間に上げる請求項１ないし５のいずれか１項に記載の方法。
【請求項７】
前記別のドラム入口温度が、前記第１のドラム入口温度よりも１．１１℃（２°Ｆ）から４４．４℃（８０°Ｆ）高い請求項１ないし６のいずれか１項に記載の方法。
【請求項８】
前記第1のドラム入口温度が、４２７℃（８００°Ｆ）から５３８℃（１０００°Ｆ）である請求項１ないし７のいずれか１項に記載の方法。
【請求項９】
前記ドラム入口温度を、前記充填サイクルの少なくとも一部の間に実質的に直線状に上げる請求項１ないし８のいずれか１項に記載の方法。
【請求項１０】
前記ドラム入口温度を、前記充填サイクルの少なくとも一部の間に実質的に段階状に上げる請求項１ないし８のいずれか１項に記載の方法。
【請求項１１】
前記第1のドラム入口温度は４３８℃（８２０°Ｆ）から５２４℃（９７５°Ｆ）であり、前記充填サイクルの間の前記コーキングドラム内の圧力は３４４kPag（５０psig）から８６２kPag（１２５psig）である請求項１ないし１０のいずれか１項に記載の方法。
【請求項１２】
前記原料を、異なる温度をもつ少なくとも２つの個別の原料流の混合物として前記コーキングドラムに供給する請求項１ないし１１のいずれか１項に記載の方法。
【請求項１３】
前記原料は異なる温度をもつ少なくとも２つの個別の原料流を含み、前記原料のドラム入口温度を前記少なくとも２つの個別の原料流の相対量を変化させることによって上げる請求項１ないし１２のいずれか１項に記載の方法。
【請求項１４】
前記コーキングドラムを所定の体積の原料まで充填し、所定の体積の最後の１５％を前記充填サイクルの最後の２５％の間に前記コーキングドラムに導入する請求項１ないし１３のいずれか１項に記載の方法。
【請求項１５】
前記原料を前記コーキングドラムに供給し、前記ドラムは前記充填サイクルの間に第１の圧力をもち、前記圧力を前記充填サイクルの少なくとも１部の間に前記第１の圧力よりも低い別の圧力まで下げる請求項１ないし１４のいずれか１項に記載の方法。
【請求項１６】
前記第１の圧力が、約３４４kPag（５０psig）よりも高い請求項１５に記載の方法。
【請求項１７】
前記別の圧力が、約４１４kPag（６０psig）よりも低い請求項１５または１６に記載の方法。
【請求項１８】
前記圧力を、前記充填サイクルの少なくとも一部の間に実質的に直線状に下げる請求項１５ないし１７のいずれか１項に記載の方法。
【請求項１９】
前記圧力を、前記充填サイクルの少なくとも一部の間に実質的に段階状に下げる請求項１５ないし１７のいずれか１項に記載の方法。
【請求項２０】
前記圧力を、前記充填サイクルの少なくとも最後の半分の間に下げる請求項１５ないし１９のいずれか１項に記載の方法。
【手続補正書】
【提出日】平成18年4月19日(2006.4.19)
【手続補正１】
【補正対象書類名】特許請求の範囲
【補正対象項目名】請求項５
【補正方法】変更
【補正の内容】
【請求項５】
前記ジオールが1,2−エタンジオール、1,2−プロパンジオール、1,3−プロパンジオール、1,4−ブタンジオール、1,6−ヘキサンジオール、1,7−ヘプタンジオール、1,8−オクタンジオール、1,9−ノナンジオール、1,10−デカンジオール、1,11−ウンデカンジオール、1,12−ドデカンジオール、1,4−シクロヘキサンジメタノール、ネオペンチルグリコール、2−メチル−1,3−プロパンジオール、ジアンヒドロソルビトール、ジアンヒドロマンニトール、ジアンヒドロイジトール、シクロヘキサンジオール、シクロヘキサンメタンジオールおよびそれらの混合物を含む群から選択される、請求項１〜４のいずれかに記載の生分解性ブロックコポリマー。
【手続補正２】
【補正対象書類名】特許請求の範囲
【補正対象項目名】請求項９
【補正方法】変更
【補正の内容】
【請求項９】
ジカルボン酸／ジオールの全モルに基づいて50モル％までの、脂肪酸、フタル酸、特にテレフタル酸、ビスフェノールAおよびヒドロキノンなどの芳香族多官能性化合物を含む、請求項１〜８のいずれかに記載の生分解性ブロックコポリマー。
【手続補正３】
【補正対象書類名】特許請求の範囲
【補正対象項目名】請求項１３
【補正方法】変更
【補正の内容】
【請求項１３】
−    一方向または二方向性フィルム、および他のポリマー材料との多層フィルム；
−    マルチングフィルムのような農業用フィルム；
−    有機廃棄物収集用の袋およびライナー；
−    牛乳、ヨーグルト、精肉、ドリンクなどのための容器のような単層または多層の食品パッケージ；
−    押出コーティング技法により得られる被覆物；
−    紙、プラスチック、アルミニウム、金属化フィルムとの多層ラミネート；
−    予備発泡粒子から得られる発泡ブロックを含む、発泡および半発泡製品；
−    発泡シート、熱成形シートおよびそれらから得られる食品包装用容器；
−    青果用一般容器；
−    フィラーとして、ゼラチン化、分解化および／または複合化した澱粉もしくは天然澱粉との複合物；
−    保健衛生分野用の繊維、織物および不織布
の製造に用いられる、請求項１〜１２のいずれかに記載のブロックコポリマー。
【手続補正４】
【補正対象書類名】明細書
【補正対象項目名】０００９
【補正方法】変更
【補正の内容】
【０００９】
ジオールの例は、1,2−エタンジオール、1,2−プロパンジオール、1,3−プロパンジオール、1,4−ブタンジオール、1.6−ヘキサンジオール、1,7−ヘプタンジオール、1,8−オクタンジオール、1,9−ノナンジオール、1,10−デカンジオール、1,11−ウンデカンジオール、1,12−ドデカンジオール、1,4−シクロヘキサンジメタノール、ネオペンチルグリコール、2−メチル−1,3−プロパンジオール、ジアンヒドロソルビトール、ジアンヒドロマンニトール、ジアンヒドロイディトール、シクロヘキサンジオール、シクロヘキサンメタンジオールを含む。
【手続補正５】
【補正対象書類名】明細書
【補正対象項目名】００１５
【補正方法】変更
【補正の内容】
【００１５】
また有利に、本発明による生分解性コポリマーは、出発モノマーとして、総ジカルボン酸／ジオールに基づいて、これもまた50モル％までの、例えばフタル酸、特にテレフタル酸、ビスフェノールA、ヒドロキノン等の多官能性芳香族化合物を含んでいてもよい。
【手続補正６】
【補正対象書類名】明細書
【補正対象項目名】００２１
【補正方法】変更
【補正の内容】
【００２１】
本発明によるブロックコポリマーは、フィルム、注入成形製品、押出コーティング、繊維、フォーム、熱形成製品等のような多くの実際的な用途に用いるのに適している。特に、本発明によるコポリマーは、：
−    一方向性または二方向性フィルム、および他のポリマー材料との多層フ
ィルム；
−    マルチングフィルムのような農業用フィルム；
−    有機廃棄物収集用の袋およびライナー；
−    牛乳、ヨーグルト、精肉、ドリンクなどのための容器のような単層
または多層の食品包装材料；
−    押出コーティング技法により得られる被覆物；
−    紙、プラスチック、アルミニウム、金属化フィルムとの多層ラミネー
ト；
−    予備発泡粒子から得られる発泡ブロックを含む、発泡および半発泡製
品；
−    発泡シート、熱成形シートおよびそれらから得られる食品包装用容器；
−    青果用一般容器；
−    フィラーとしての、ゼラチン化、分解化および／または複合化した澱粉
もしくは天然澱粉との複合物；
−    保健衛生分野用の繊維、織物および不織布
の製造用に適している。
【手続補正７】
【補正対象書類名】明細書
【補正対象項目名】００３０
【補正方法】変更
【補正の内容】
【００３０】
比較例１−二つのポリマーの溶液ブレンド
実施例１のポリエチレンセバケート6g（60％）とポリネオペンチレンセバケート4ｇ(40％)を30分間攪拌しながら、25℃でクロロホルム100ｍｌ中に溶解させた。溶媒の主要部分は、回転蒸発器で真空蒸発させた（18mmHg）。  得られた混合物を真空オーブン中40℃で24時間乾燥した。このようにして、二つの生成物を反応させずに混合した。
得られた生成物はTm＝72℃を有し、−36℃と−48℃で二つのTgを示す。
【手続補正８】
【補正対象書類名】明細書
【補正対象項目名】００３６
【補正方法】変更
【補正の内容】
【００３６】
非晶質ポリマー(ポリネオペンチレンセバケート)
ポリネオペンチレンセバケートを実施例１の開示内容に従って合成した。
ブロックコポリマー
パイロット反応器中で、ポリブチレンセバケートとポリネオペンチレンセバケートをエステル交換反応させることにより、ブロックコポリマーを得た。
ポリブチレンセバケート6.0kg（60重量％）とポリネオペンチレンセバケート4.0kg（40重量％）を反応器に供給し、230℃に加熱した。一旦該ポリマーが溶融すると、該混合物を0.5mmHg真空下で90分間、240℃で攪拌した。
固有粘度1.31dl/g、Tm=62℃、および△Hm＝58J/gの生成物を得た。上記生成物を用いて、ポリエチレンセバケートと、ブロックコポリマーのブローフィルム化により、30μmの厚さを有するフィルムを作成した。
【手続補正書】
【提出日】平成18年4月19日(2006.4.19)
【手続補正１】
【補正対象書類名】特許請求の範囲
【補正対象項目名】請求項３
【補正方法】変更
【補正の内容】
【請求項３】
前記天然由来の不飽和酸が、該不飽和酸のモルと、前記脂肪族ジカルボン酸またはそのエステルのモルの総計に基づいて15モル％までの量で存在することを特徴とする、請求項２に記載の生分解性コポリエステル。
【手続補正２】
【補正対象書類名】特許請求の範囲
【補正対象項目名】請求項２８
【補正方法】変更
【補正の内容】
【請求項２８】
−    一方向性または二方向性フィルム、および他のポリマー材料との多層フィルム；
−    マルチングフィルムのような農業用フィルム；
−    有機廃棄物収集用の袋およびライナー；
−    牛乳、ヨーグルト、精肉、飲料などの容器のような単層または多層の食品パッケージ；
−    押出コーティング技法により得られる被覆物；
−    紙、プラスチック、アルミニウム、金属化フィルムとの多層ラミネート；
−    合成により得られる物品製造用の、発泡または発泡性ビーズ；
−    予備発泡粒子からの発泡ブロックを含む、発泡および半発泡製品；
−    発泡および熱成形シート、ならびにそれらから得られる食品包装用容器；
−    青果用一般容器；
−    フィラーとして使用されるための、ゼラチン化、分解化および／または複合化した澱粉、天然澱粉、小麦粉、その他天然の野菜もしくは無機フィラーとの複合物；
−    保健衛生分野用の繊維、織物および不織布；
−    産業用のオイル増粘剤
の製造のための、請求項１〜２２に記載の生分解性コポリエステルまたは生分解性コポリエステルブレンドの使用。
【手続補正３】
【補正対象書類名】明細書
【補正対象項目名】０００９
【補正方法】変更
【補正の内容】
【０００９】
ジオールの例は、1,2−エタンジオール、1,2−プロパンジオール、1,3−プロパンジオール、1,4−ブタンジオール、1,5−ペンタンジオール、1,6−ヘキサンジオール、1,7−ヘプタンジオール、1,8−オクタンジオール、1,9−ノナンジオール、1,10−デカンジオール、1,11−ウンデカンジオール、1,12−ドデカンジオール、1,13−トリデカンジオール、1,4−シクロヘキサンジメタノール、プロピレングリコール、ネオペンチルグリコール、2−メチル−1,3−プロパンジオール、ジアンヒドロソルビトール、ジアンヒドロマンニトール、ジアンヒドロイディトール、シクロヘキサンジオール、シクロヘキサンメタンジオールを含む。
【手続補正４】
【補正対象書類名】明細書
【補正対象項目名】００２６
【補正方法】変更
【補正の内容】
【００２６】
特に、本発明によるポリマーは
−    一方向性または二方向性フィルム、および他のポリマー材料との多層フィルム；
−    マルチングフィルムのような農業用フィルム；
−    有機廃棄物収集用の袋およびライナー；
−    牛乳、ヨーグルト、精肉、飲料などの容器のような単層または多層の食品パッケージ；
−    押出コーティング技法により得られる被覆物；
−    紙、プラスチック、アルミニウム、金属化フィルムとの多層ラミネート；
−    合成により得られる物品の製造用発泡または発泡性ビーズ；
−    予備発泡粒子からの発泡ブロックを含む、発泡および半発泡製品；
−    発泡シートおよび熱成形シート、ならびにそれらから得られる食品包装用容器；
−    青果用一般容器；
−    フィラーとして使用されるための、ゼラチン化、分解化および／または複合化した澱粉、天然澱粉、小麦粉、その他天然の野菜もしくは無機フィラーとの複合物；
−    保健衛生分野用の繊維、マイクロファイバー、織物および不織布；
−    産業用のオイル増粘剤
の製造に好適である。
【手続補正５】
【補正対象書類名】明細書
【補正対象項目名】００３１
【補正方法】変更
【補正の内容】
【００３１】
酸価は、以下の方法により測定した。約1〜3グラムのポリマーを還流まで加熱しつつ、トルエン10mlとピリジン10mlに溶解した。次いで、該溶液を室温に冷却し、水5mlとTHF50mlを加え、標準KOH溶液で滴定を行った。試験物質(ブランクサンプル)を用いずに、その測定を繰り返した。酸価を次式：
AN＝T×56.1×（V1−V2)/ｍ
[ここで
Ｔ＝  標準ＫＯＨ溶液の滴定量
ｍ＝  試験物質の重量(mg)
V1＝  試験物質を用いて使用した標準溶液のｍl
V2＝  試験物質を用いずに使用した標準溶液のml]
から求めた。
【手続補正６】
【補正対象書類名】明細書
【補正対象項目名】００３２
【補正方法】変更
【補正の内容】
【００３２】
実施例１
−  セバシン酸          4320g  (21.4モル)
−  1,4−ブタンジオール  2120g（23.6 モル)
−  メチルリシノレート  1000g  (3.2 モル、純度＞98％) セバシン酸とメチルリシ
ノレート含量に基づいて13モル％に等しい）
−  グリセリン            18g  (0.2 モル；ジカルボン酸およびグリセリンの含量
に基づいて0.9 モル％）
−  モノブチルスタン酸    10g  (4.8・10-2モル相当）
を機械的攪拌装置、窒素流入口、コンデンサーおよび真空ポンプとの接続部分を備えた25  lスチール反応器に入れた。
【手続補正７】
【補正対象書類名】明細書
【補正対象項目名】００４２
【補正方法】変更
【補正の内容】
【００４２】
活発な攪拌、窒素気流下、温度を徐々に210℃に上げた。軽副生物の理論量の85％が蒸留されるまでこの反応を継続した（750ml水およびメタノール）。
さらに240℃に加熱し、0.6mmHgの圧力を該システムに加えた。この反応を300分間継続した。固有粘度1.27dl/g、MFR=3.0g/10分、密度＝1.12g/cm3のポリマー5.0kgを得た。
【手続補正８】
【補正対象書類名】明細書
【補正対象項目名】００４６
【補正方法】変更
【補正の内容】
【００４６】
実施例２
−  セバシン酸            202g  （1モル)
−  1,4−ブタンジオール    100g  (1.1モル)
−  メチルリシノレート    46.8g  (0.13モル；  純度＝85重量％) (ひまし油のベ
ース触媒エステル交換反応、次いでグリセリン−
該反応の副生物−および過剰メタノールの除去に
より得られる) セバシン酸およびメチルリシノレ
ート含量に基づいて13モル％に等しい
−  グリセリン            1.2g  （1.3・10-2モル；ジカルボン酸およびグリセリン
の含量に基づいて1.3モル％）
を機械的攪拌装置、窒素流入口、コンデンサーおよび真空ポンプとの接続部分を備えた1.5 ltパイレックスガラス円錐反応器に加えた。
【手続補正９】
【補正対象書類名】明細書
【補正対象項目名】００６１
【補正方法】変更
【補正の内容】
【００６１】
リシノレート単位0.5〜６％を含有する生成物は、リシノレート単位を用いずに、または上記の上限を超えるリシノレート単位を用いて得られた生成物よりも、良好な光学性能を示した。
【手続補正書】
【提出日】平成18年4月12日(2006.4.12)
【手続補正１】
【補正対象書類名】特許請求の範囲
【補正対象項目名】請求項１５
【補正方法】変更
【補正の内容】
【請求項１５】
−    一方向性または二方向性フィルム、および他のポリマー材料との多層フィルム；
−    マルチングフィルムのような農業用フィルム；
−    有機廃棄物収集用の袋およびライナー；
−    牛乳、ヨーグルト、精肉、ドリンクなどのための容器のような単層または多層の食品パッケージ；
−    押出コーティング技法により得られる被覆物；
−    紙、プラスチック、アルミニウム、金属化フィルムとの多層ラミネート；
−    予備発泡粒子からの発泡ブロックを含む、発泡および半発泡製品；
−    発泡シート、熱成形シートおよびそれらから得られる食品包装用容器；
−    青果用一般容器；
−    フィラーとしての、ゼラチン化、分解化および／または複合化した澱粉もしくは天然澱粉との複合物；
−    保健衛生分野用の繊維、織物および不織布
の製造に用いられる、請求項１に記載の、一つ以上の生分解性の、脂肪族および／または脂肪−芳香族の熱可塑性ポリエステルの組成物の使用。
【手続補正２】
【補正対象書類名】明細書
【補正対象項目名】００１４
【補正方法】変更
【補正の内容】
【００１４】
ジオールの例は、1,2−エタンジオール、1,2−プロパンジオール、1,3−プロパンジオール、1,4−ブタンジオール、1,5−ペンタンジオール、1,6−ヘキサンジオール、1,7−ヘプタンジオール、1,8−オクタンジオール、1,9−ノナンジオール、1,10−デカンジオール、1,11−ウンデカンジオール、1,12−ドデカンジオール、1,13−トリデカンジオール、1,4−シクロヘキサンジメタノール、ネオペンチルグリコール、2−メチル−1,3−プロパンジオール、ジアンヒドロソルビトール、ジアンヒドロマンニトール、ジアンヒドロイディトール、シクロヘキサンジオール、シクロヘキサンメタンジオールを含む。
【手続補正３】
【補正対象書類名】明細書
【補正対象項目名】００３４
【補正方法】変更
【補正の内容】
【００３４】
特に、本発明によるポリエステルは、
−    一方向性または二方向性フィルム、および他のポリマー材料との多層フィルム；
−    マルチングフィルムのような農業用フィルム；
−    有機廃棄物収集用の袋およびライナー；
−    牛乳、ヨーグルト、精肉、飲料などのための容器のような単層または多層の食品パッケージ；
−    押出コーティング技法により得られる被覆物；
−    紙、プラスチック、アルミニウム、金属化フィルムとの多層ラミネート；
−    予備発泡粒子から得られる発泡ブロックを含む、発泡および半発泡製品；
−    発泡シート、熱成形シートおよびそれらから得られる食品包装用容器；
−    青果用一般容器；
−    フィラーとしての、ゼラチン化、分解化および／または複合化した澱粉もしくは天然澱粉との複合物；
−    保健衛生分野用の繊維、織物および不織布
の製造に適する。
本発明によるポリエステルの非限定的な例をいくつか以下に示す。
【手続補正４】
【補正対象書類名】明細書
【補正対象項目名】００３８
【補正方法】変更
【補正の内容】
【００３８】
そのようにして得られたポリマー1kgを、
−バレル：                長さ395mm 直径20〜32mm
−充填：                  23℃で強制冷却
−スクリュー（徹底混合）：円錐形、反転、直径20−31mm、長さ331mm
−ヘッド：                長さ80mm、直径20mm；ノズル：直径3mm
の主要特性を有する押出装置テオメックス(Theomex)TW−100を備えた二軸スクリュー押出機、ハーケレオコード（Haake Rheocord）90中で、2,5−ジメチル−2,5−ジ(tert−ブチル) パーオキシヘキサン（ルペロックス (Luperox)101) 4g（0.4pph）と反応させた。
この工程を
−温度プロファイル；23−90−170−170−170℃
−スクリュ−回転速度：200rpm；処理量：1kg/h
の条件下で行った。
【手続補正５】
【補正対象書類名】明細書
【補正対象項目名】００４４
【補正方法】変更
【補正の内容】
【００４４】
ポリマー1kgを、
−温度プロファイル；23−90−170−170−170℃
−スクリュ−回転速度：200rpm；処理量：1kg/h
の条件下で、ハーケレオコード押出機中、2,5−ジメチル−2,5−ジ(tert−ブチル) パーオキシヘキサン(ルペロックス101)1g(0.1pph)と反応させた。
実施例１のように測定して、0.22％のゲル画分を有し、固有粘度1.26dl/gの生成物を得た。
【手続補正６】
【補正対象書類名】明細書
【補正対象項目名】００４７
【補正方法】変更
【補正の内容】
【００４７】
ポリマー1kgを、
−温度プロファイル；100−150−150−150℃
−スクリュ−回転速度：150rpm；処理量：3kg/h
の条件下で、ハーケ・レオコード押出機中、過酸化ジベンゾイル(アルドリッチ  Aldrich)２g(0.２pph)と反応させた。
固有粘度1.35dl/gおよびゲル画分＝0.5％の生成物を得た。
【手続補正書】
【提出日】平成18年4月12日(2006.4.12)
【手続補正１】
【補正対象書類名】特許請求の範囲
【補正対象項目名】請求項１２
【補正方法】変更
【補正の内容】
【請求項１２】
澱粉、セルロース、キトサン、アルギン酸および天然ゴムをからなる群から選択される天然由来のポリマーとのブレンド形態にある、請求項１〜１１のいずれかに記載のポリエステル。
【手続補正２】
【補正対象書類名】特許請求の範囲
【補正対象項目名】請求項１８
【補正方法】変更
【補正の内容】
【請求項１８】
ジオールの使用量が、ジカルボン酸またはそのエステルのモルに対して１〜1.5モルの範囲である、請求項１４〜１７のいずれかに記載の方法。
【手続補正３】
【補正対象書類名】特許請求の範囲
【補正対象項目名】請求項１９
【補正方法】変更
【補正の内容】
【請求項１９】
−    一方向性または二方向性フィルム、および他のポリマー材料との多層フィルム；
−    マルチングフィルムのような農業用フィルム；
−    有機廃棄物収集用の袋およびライナー；
−    牛乳、ヨーグルト、精肉、ドリンクなどのための容器のような単層または多層の食品パッケージ；
−    押出コーティング技法により得られる被覆物；
−    紙、プラスチック、アルミニウム、金属化フィルムとの多層ラミネート；
−    合成により得られる物品を製造をするための発泡または発泡性ビーズ；
−    予備発泡粒子からの発泡ブロックを含む、発泡および半発泡製品；
−    発泡シート、熱成形シートおよびそれらから得られる食品包装用容器；
−    青果用一般容器；
−    フィラーとして使用されるための、ゼラチン化、分解化および／または複合化した澱粉、天然澱粉、小麦粉、その他天然の野菜もしくは無機フィラーとの複合物；
−    保健衛生分野用の繊維、織物および不織布
の製造のための、請求項１〜１３のいずれかに記載のポリエステルの使用。
【手続補正４】
【補正対象書類名】明細書
【補正対象項目名】０００３
【補正方法】変更
【補正の内容】
【０００３】
【数１】
2005523356.tif 000001
（式中、
％P ＝前記の少なくとも３官能性の分子とジカルボン酸のモル総計に対するモルの割合、
N ＝主ポリマー鎖中のジアシッド/ジオール繰返し単位のC原子の平均数
（例えば：ポリエチレンセバケートに対し、N=12、
セバシン酸ポリブチレンに対し、N=14）、
ηinh ＝固有粘度（25℃の0.2g／dl  CH3Cｌ溶液中）、
f   ＝少なくとも３官能性の分子中の反応性部分の数
である）
による値までの範囲で含まれている]、
ジカルボン酸、ジオールおよび一つ以上の少なくとも３官能性化合物からの生分解性熱可塑性脂肪族ポリエステルに関する。
【手続補正５】
【補正対象書類名】明細書
【補正対象項目名】００１０
【補正方法】変更
【補正の内容】
【００１０】
ジオールの例は、1,2−エタンジオール、1,2−プロパンジオール、1,3−プロパンジオール、1,4−ブタンジオール、1,5−ペンタンジオール、1,6−ヘキサンジオール、1,7−ヘプタンジオール、1,8−オクタンジオール、1,9−ノナンジオール、1,10−デカンジオール、1,11−ウンデカンジオール、1,12−ドデカンジオール、1,13−トリデカンジオール、1,4−シクロヘキサンジメタノール、プロピレングリコール、ネオペンチルグリコール、2−メチル−1,3−プロパンジオール、ジアンヒドロソルビトール、ジアンヒドロマンニトール、ジアンヒドロイディトール、シクロヘキサンジオール、シクロヘキサンメタンジオールを含む。
【手続補正６】
【補正対象書類名】明細書
【補正対象項目名】００２１
【補正方法】変更
【補正の内容】
【００２１】
本発明によるポリエステルは、それ自身、関連する分子量を適当に調節することにより、フィルム、フォーム、熱成形品などのような多くの実際の適用に好適ならしめる粘度値を有する。
特に、本発明によるポリマーは
−    一方向性または二方向性フィルム、および他のポリマー材料との多層フィルム；
−    マルチングフィルムのような農業用フィルム；
−    有機廃棄物収集用の袋およびライナー；
−    牛乳、ヨーグルト、精肉、ドリンクなどのための容器のような単層または多層の食品パッケージ；
−    押出コーティング技法により得られる被覆物；
−    紙、プラスチック、アルミニウム、金属化フィルムとの多層ラミネート；
−    合成により得られる物品の製造用発泡または発泡性ビーズ；
−    予備発泡粒子からの発泡ブロックを含む、発泡および半発泡製品；
−    発泡シートおよび熱成形シート、ならびにそれらから得られる食品包装用容器；
−    青果用一般容器；
−    フィラーとして使用されるための、ゼラチン化、分解化および／または複合化した澱粉、天然澱粉、小麦粉、その他天然の野菜もしくは無機フィラーとの複合物；
−    保健衛生分野用の繊維、マイクロファイバー、織物および不織布
の製造に好適である。
【手続補正７】
【補正対象書類名】明細書
【補正対象項目名】００２８
【補正方法】変更
【補正の内容】
【００２８】
酸価は、以下の方法により測定した。約１〜３グラムのポリマーを還流まで加熱しつつ、トルエン10mlとピリジン10mlに溶解した。次いで、この溶液を室温に冷却し、水5mlとTHF50mlを加え、標準KOH溶液で滴定を行った。試験物質(ブランクサンプル)を用いずに、その測定を繰り返した。酸価を以下の式：  AN＝T×56.1×（V1−V2)/ｍ
[ここで
Ｔ＝  標準ＫＯＨ溶液の滴定量
ｍ＝  試験物質の重量(mg)
V1＝  試験物質を用いて使用した標準溶液のｍl
V2＝  試験物質を用いずに使用した標準溶液のml]
から求めた。
【手続補正書】
【提出日】平成17年9月5日(2005.9.5)
【手続補正１】
【補正対象書類名】特許請求の範囲
【補正対象項目名】全文
【補正方法】変更
【補正の内容】
【特許請求の範囲】
【請求項１】
患者に流体を送るための装置であって、
ａ）経皮的な患者アクセスツールに結合するようになっている出口ポートアセンブリと、
ｂ）出口ポートアセンブリに連結した出口に向けて、第１端部壁と第２端部壁との間を伸延する側壁を含むリザーバと、
ｃ）リザーバに受けられリザーバの側壁と全体に平行にリザーバの出口に向けて伸延し、第１端部壁及び第２端部壁の少なくとも一方と連結される、ネジ溝付きの少なくとも１つのネジと、
ｄ）ネジのネジ溝上に受けられたプランジャにして、ネジ及びプランジャの一方が回転するとリザーバ内で移動されるプランジャと、
ｅ）ネジ及びプランジャの一方を回転させるためにネジ及びプランジャの一方に動作連結したディスペンサと、
を含む装置。
【請求項２】
ディスペンサがネジを回転させるようにした請求項１の装置。
【請求項３】
プランジャがリザーバの側壁に関して回転しないようにした請求項２の装置。
【請求項４】
プランジャが、ネジのネジ溝上に受けられるインサートを含み、該インサートとプランジャとが異なる材料から作製される請求項１の装置。
【請求項５】
ネジがプラスチック製である請求項１の装置。
【請求項６】
ネジが単一方向に回転してプランジャがネジ上を単一方向に可動である請求項１の装置。
【請求項７】
ディスペンサがモーターを含んでいる請求項１の装置。
【請求項８】
出口ポートアセンブリに結合した経皮的な患者アクセスツールを更に含む請求項１の装置。
【誤訳訂正書】
【提出日】平成18年4月11日(2006.4.11)
【誤訳訂正１】
【訂正対象書類名】明細書
【訂正対象項目名】００３５
【訂正方法】変更
【訂正の内容】
【００３５】
本願で使用する「異種」という用語は、自然界において通常は当該ウイルスと密接に関係して見いだされることのない核酸配列の任意の組合せを指し、そのようなウイルスを「組換えウイルス」ともいう。
【誤訳訂正２】
【訂正対象書類名】明細書
【訂正対象項目名】００５４
【訂正方法】変更
【訂正の内容】
【００５４】
本発明では、「腫瘍抗原及び（又は）外来抗原は、ウイルスに関連する抗原とは異なっている」。この表現は、本発明のこの態様では、ＭＶＡなどのウイルスを使用する主な目的が、そのウイルスそのものに対する免疫応答を誘導することにはないことを表すと、解釈すべきである。むしろ本ウイルスは、それぞれ、そのウイルスには付随していない外来抗原および腫瘍抗原に対して宿主を保護する免疫応答または少なくとも一般免疫刺激を誘導するために使用される。「ウイルスに関連する抗原」という用語は、ウイルスゲノムが発現した結果であるウイルス粒子のエピトープおよび抗原ならびにそのウイルスに感染した細胞の表面上の抗原およびエピトープを指す。
【誤訳訂正３】
【訂正対象書類名】明細書
【訂正対象項目名】００９７
【訂正方法】変更
【訂正の内容】
【００９７】
上記の処置が、（ｉ）樹状細胞またはその前駆細胞を活性化及び（又は）動員(mobilize)する因子のレベルを増加させることにあるか、（ｉｉ）樹状細胞またはその前駆細胞の数を増加させることにあるか、あるいは（ｉｉｉ）インターフェロン（ＩＦＮ）又はＩＬ−１２の産生量及び（又は）細胞含有量を増加させることにある、上記使用方法、上記処置又は予防接種方法又は上記ウイルス。
上記樹状細胞を活性化させる因子がFlt3-Lおよび／またはGM-CSFである、上記使用方法、上記処置又は予防接種方法又は上記ウイルス。
【手続補正書】
【提出日】平成17年11月8日(2005.11.8)
【手続補正１】
【補正対象書類名】特許請求の範囲
【補正対象項目名】全文
【補正方法】変更
【補正の内容】
【特許請求の範囲】
【請求項１】
有効量のブリモニジンと有効量のチモロールとを、そのための医薬的に許容できる担体中に含む、緑内障または高眼圧症の処置に有用な眼科医薬組成物。
【請求項２】
ブリモニジンの濃度が0.01〜0.5wt％であり、チモロールの濃度が0.1〜1.0wt％である、請求項1に記載の組成物。
【請求項３】
ブリモニジンの濃度が0.2wt％であり、チモロールの濃度が0.5wt％である、請求項1に記載の組成物。
【請求項４】
0.001％〜0.01％未満の塩化ベンザルコニウムをさらに含む、請求項1に記載の組成物。
【請求項５】
0.001％〜0.01％未満の塩化ベンザルコニウムをさらに含む、請求項2に記載の組成物。
【請求項６】
0.001％〜0.01％未満の塩化ベンザルコニウムをさらに含む、請求項3に記載の組成物。
【請求項７】
患眼に局所投与することによって緑内障を処置するための請求項1に記載の組成物。
【請求項８】
患眼に局所投与することによって緑内障を処置するための請求項2に記載の組成物。
【請求項９】
患眼に局所投与することによって緑内障を処置するための請求項3に記載の組成物。
【請求項１０】
患眼に投与することによって眼内圧を低下させるための請求項1に記載の組成物。
【請求項１１】
患眼に投与することによって眼内圧を低下させるための請求項2に記載の組成物。
【請求項１２】
患眼に投与することによって眼内圧を低下させるための請求項3に記載の組成物。
【請求項１３】
包装材と前記包装材の内部に含まれている医薬とを含む製造物であって、前記医薬は眼内圧を低下させるのに有効であり、かつ前記包装材は眼内圧を低下させるために前記医薬を使用することができる旨を示す標識を含み、かつ前記医薬は有効量のブリモニジンと有効量のチモロールとを含む製造物。
【請求項１４】
ブリモニジンの前記有効量が0.01〜0.5wt％であり、チモロールの前記有効量が0.1〜1.0wt％である、請求項13に記載の製造物。
【請求項１５】
ブリモニジンの前記有効量が0.2wt％であり、チモロールの前記有効量が0.5wt％である、請求項13に記載の製造物。
【請求項１６】
前記医薬が0.001％〜0.01％未満の塩化ベンザルコニウムをさらに含む、請求項13に記載の製造物。
【請求項１７】
0.005％塩化ベンザルコニウムをさらに含む、請求項16に記載の製造物。
【請求項１８】
0.005％塩化ベンザルコニウムをさらに含む、請求項14に記載の製造物。
【請求項１９】
0.005％塩化ベンザルコニウムをさらに含む、請求項15に記載の製造物。
【請求項２０】
患眼に局所投与することによって緑内障を処置するための請求項4に記載の組成物。
【請求項２１】
患眼に局所投与することによって緑内障を処置するための請求項5に記載の組成物。
【請求項２２】
患眼に局所投与することによって緑内障を処置するための請求項6に記載の組成物。
【請求項２３】
患眼に投与することによって眼内圧を低下させるための請求項4に記載の組成物。
【請求項２４】
患眼に投与することによって眼内圧を低下させるための請求項5に記載の組成物。
【請求項２５】
患眼に投与することによって眼内圧を低下させるための請求項6に記載の組成物。
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
一般式［Ｉ］：
【化１】
2005523329.tif 000001
（式中、Ｒ1は置換または非置換低級アルキル基、Ｘ1は式：−ＮＨＲ2（Ｒ2は水素原子または低級アルキル基を表す。）で示される基または水酸基、Ａｌｋは酸素原子が介在していることもある炭素数１から６の直鎖または分枝鎖アルキレン基を意味する。）
で示される化合物とカルボキシル基を有する多糖類とがアミノ酸またはペプチドを介して結合してなるカンプトテシン誘導体またはその薬学的に許容し得る塩を１〜２０％（W/V)含有してなる水性製剤であって、緩衝剤によりｐＨが５〜８に調整されてなる水性製剤。
【請求項２】
緩衝剤としてクエン酸、クエン酸アルカリ金属、酢酸、酢酸アルカリ金属およびリン酸二水素アルカリ金属から選ばれる１種以上が配合されてなる請求項１記載の水性製剤。
【請求項３】
緩衝剤のイオン強度が０.０１〜０．６である請求項２記載の水性製剤。
【請求項４】
ｐＨが５〜７．５に調整されてなる請求項１〜３のいずれかに記載の水性製剤。
【請求項５】
ｐＨが５〜７に調整されてなる請求項１〜３のいずれかに記載の水性製剤。
【請求項６】
ｐＨが６〜７に調整されてなる請求項１〜３のいずれかに記載の水性製剤。
【請求項７】
安定化剤および賦形剤から選ばれる１種以上の製剤用添加物を更に含有してなる請求項１〜６のいずれかに記載の水性製剤。
【請求項８】
炭酸アルカリ金属および炭酸水素アルカリ金属から選ばれる安定化剤、および乳糖、ショ糖、マンニトール、デキストラン、マルトースおよびトレハロースから選ばれる賦形剤から選ばれる１種以上の製剤用添加物を含有してなる請求項７に記載の水性製剤。
【請求項９】
塩化アルカリ金属、塩化アルカリ土類金属および硫酸アルカリ金属から選ばれる１種以上の塩が更に配合されてなる請求項１〜８のいずれかに記載の水性製剤。
【請求項１０】
Ｒ1が炭素数１〜６の非置換アルキル基であり、Ｘ1がアミノ基であり、Ａｌｋは酸素原子が介在していない炭素数１〜６の直鎖アルキレン基であり、多糖類がカルボキシル基を有するデキストランまたはプルランであり、ペプチドが２〜５個のアミノ酸からなるペプチドである請求項１記載の水性製剤。
【請求項１１】
Ｒ1がエチル基であり、式：Ｘ1−Ａｌｋ−O−で示される基が３−アミノプロピオニルオキシ基であり、多糖類がカルボキシル基を導入したデキストランであり、そしてペプチドがグリシル−グリシル−ＬもしくはＤ−フェニルアラニル−グリシン、グリシル−グリシン、グリシル−グリシル−グリシン、グリシル−グリシル−グリシル−グリシン、グリシル−グリシル−グリシル−グリシル−グリシン、ＬもしくはＤ−フェニルアラニル−グリシンあるいはLもしくはD−ロイシル−グリシンである、請求項１０記載の水性製剤。
【請求項１２】
ペプチドがグリシル−グリシル−グリシンである請求項１１記載の水性製剤。
【請求項１３】
請求項１〜１２のいずれかに記載の水性製剤を凍結乾燥して得られる医薬組成物。
【請求項１４】
請求項１３記載の組成物を水性媒体に溶解してなる注射用水性製剤。
【請求項１５】
カンプトテシン化合物［Ｉ］が式：
【化２】
2005523329.tif 000002
で示される化合物であり、ペプチドがグリシル−グリシル−グリシンであり、多糖類がカルボキシメチル基を導入したデキストランであり、緩衝剤としてクエン酸、クエン酸アルカリ金属、酢酸、酢酸アルカリ金属およびリン酸二水素アルカリ金属から選ばれる１種以上が配合されてなる請求項１記載の水性製剤。
【請求項１６】
安定化剤および賦形剤から選ばれる１種以上の製剤用添加物を更に含有してなる請求項１５記載の水性製剤。
【請求項１７】
炭酸アルカリ金属および炭酸水素アルカリ金属から選ばれる安定化剤、および乳糖、ショ糖、マンニトール、デキストラン、マルトースおよびトレハロースから選ばれる賦形剤から選ばれる１種以上の製剤用添加物を含有してなる請求項１６記載の水性製剤。
【請求項１８】
塩化アルカリ金属、塩化アルカリ土類金属および硫酸アルカリ金属から選ばれる１種以上の塩が更に配合されてなる請求項１５〜１７のいずれかに記載の水性製剤。
【請求項１９】
塩として塩化ナトリウムが配合されてなる請求項１８記載の水性製剤。
【請求項２０】
請求項１５〜１９のいずれかに記載の水性製剤を凍結乾燥して得られる医薬組成物。
【請求項２１】
請求項２０記載の組成物を水性媒体に溶解してなる注射用水性製剤。
【手続補正２】
【補正対象書類名】明細書
【補正対象項目名】００１６
【補正方法】変更
【補正の内容】
【００１６】
水性製剤の製造
下記表１に記載の処方に基づき薬物水溶液を調製し、メンブランフィルター（ミリポア社製タイプGS、孔径０.２２μｍ）を用いてろ過した後、ろ液１ｍＬを３ｍＬ容のガラスアンプルに封入した。各アンプルは１００℃で１５分間蒸気滅菌し、水性製剤を得た。
薬物：下記式で表される特開平１０−７２４６７の実施例８４に開示のカンプトテシン誘導体；
【化２】
2005523329.tif 000003
（式中のＣＭはカルボキシメチル化を意味する。）
【手続補正３】
【補正対象書類名】明細書
【補正対象項目名】００２２
【補正方法】変更
【補正の内容】
【００２２】
ＨＰＬＣ条件：
・カラム：Inertsil ODS（ＧＬサイエンス社製）
・移動相：３５ｍＭギ酸−ギ酸アンモニウム緩衝液（ｐＨ３）／アセトニトリル＝８０／２０（流速：１.０ｍＬ／ｍｉｎ）
・カラム温度：４０℃
・検出器：蛍光検出器（Ｅｘ＝３６０ｎｍ,Ｅｍ＝４２０ｎｍ）
・活性カンプトテシン化合物：
【化３】
2005523329.tif 000004
（式中、Raは水素原子、Gly-、Gly-Gly-またはGly-Gly-Gly-を表す。）
【手続補正書】
【提出日】平成18年4月10日(2006.4.10)
【手続補正１】
【補正対象書類名】明細書
【補正対象項目名】００４４
【補正方法】変更
【補正の内容】
【００４４】
基Ｚは、好ましくは、５または６員環の、ポリエチレン的に不飽和であるか、または芳香族の炭素環式基であり、これは、単置換または多置換、好ましくは単〜三置換されていることができ、ここで、この置換基は、互いに独立して、Ｈ以外のＲ４の意味から選択されているか、または、好ましくは、Ａ、特に１〜６個の炭素原子を有するアルキル、１〜６個の炭素原子を有するアルコキシおよび２〜６個の炭素原子を有するアルコキシアルキル、Ｈａｌ、特にＦおよびＣｌ、ＮＯ２、ＯＲ６、Ｎ（Ｒ６）２、ＣＮ、ＣＯＯＲ６、ＣＯＮ（Ｒ６）２、ＮＲ６ＣＯＲ６、ＮＲ６ＣＯＮ（Ｒ６）２、ＮＲ６ＳＯ２Ａ、ＣＯＲ６、ＳＯ２Ｎ（Ｒ６）２、Ｓ（Ｏ）ｗＡ、ＯＯＣＲ６およびＣ（ＮＨ）ＮＯＨから選択されている。
【手続補正２】
【補正対象書類名】明細書
【補正対象項目名】００４６
【補正方法】変更
【補正の内容】
【００４６】
あるいはまた、基Ｚは、好ましくは、５または６員環の、ポリエチレン的に不飽和であるか、または芳香族の複素環式基であり、これは、互いに独立して、Ｎ、ＯおよびＳから選択された１〜４個のヘテロ原子を含むことができ、単置換または多置換、好ましくは単〜三置換されていることができ、ここで、置換基は、互いに独立して、Ｈ以外のＲ４の意味から選択されているか、または、好ましくは、Ａ、特に１〜６個の炭素原子を有するアルキル、１〜６個の炭素原子を有するアルコキシおよび２〜６個の炭素原子を有するアルコキシアルキル、Ｈａｌ、特にＦおよびＣｌ、ＮＯ２、ＯＲ６、Ｎ（Ｒ６）２、ＣＮ、ＣＯＯＲ６、ＣＯＮ（Ｒ６）２、ＮＲ６ＣＯＲ６、ＮＲ６ＣＯＮ（Ｒ６）２、ＮＲ６ＳＯ２Ａ、ＣＯＲ６、ＳＯ２Ｎ（Ｒ６）２、Ｓ（Ｏ）ｗＡ、ＯＯＣＲ６およびＣ（ＮＨ）ＮＯＨから選択されている。
【手続補正３】
【補正対象書類名】明細書
【補正対象項目名】００５５
【補正方法】変更
【補正の内容】
【００５５】
Ｈａｌは、Ｆ、Ｃｌ、ＢｒまたはＩであり、
Ｒ１２およびＲ１３は、互いに独立して、Ｈ以外のＲ４の意味から選択されており、好ましくは、互いに独立して、Ｈａｌ、ＣＮ、ＮＯ２、ＯＲ６、Ｎ（Ｒ６）２、ＮＯ２、ＣＮ、ＣＯＯＲ６、ＣＯＮ（Ｒ６）２、ＮＲ６ＣＯＲ６、ＮＲ６ＣＯＮ（Ｒ６）２、ＮＲ６ＳＯ２Ａ、ＣＯＲ６、ＳＯ２Ｎ（Ｒ６）２、Ｓ（Ｏ）ｗＡ、ＯＯＣＲ６および／またはＣ（ＮＨ）ＮＯＨである、
で表される置換インドール並びにこれらの塩および溶媒和物、好ましくはこれらの生理学的に許容される塩および溶媒和物並びに、特にこれらの生理学的に許容される塩に関する。
【手続補正４】
【補正対象書類名】明細書
【補正対象項目名】００５７
【補正方法】変更
【補正の内容】
【００５７】
式Ｉ、式Ｉａで表される化合物および式ＩＩＩで表される化合物において、Ｘ２−Ｚ基は、好ましくは、基
【化１５】
2005523310.tif 000001
式中、
Ｒ１４は、独立して、
【化１６】
2005523310.tif 000002
および特に、互いに独立して、Ｈａｌ、ＮＯ２、ＯＲ６、Ｎ（Ｒ６）２、ＣＮ、ＣＯＯＲ６、ＣＯＮ（Ｒ６）２、ＮＲ６ＣＯＲ６、ＮＲ６ＣＯＮ（Ｒ６）２、ＮＲ６ＳＯ２Ａ、ＣＯＲ６、ＳＯ２Ｎ（Ｒ６）２、Ｓ（Ｏ）ｗＡ、ＯＯＣＲ６および／またはＣ（ＮＨ）ＮＯＨであり、
ｗは、０、１、２または３であり、
ｔは、０、１、２、３、４または５であり、特に０、１、２または３であり、
Ｒ’は、Ｈ、Ａ、（ＣＨ２）ｎＨｅｔ、（ＣＨ２）ｎＡｒ、３〜７個の炭素原子を有するシクロアルキルまたはＳＯ２Ａである、
から選択されている。
【手続補正５】
【補正対象書類名】明細書
【補正対象項目名】００８２
【補正方法】変更
【補正の内容】
【００８２】
他の特定の、および好ましい態様において、本発明は、ＹがＣＨ、ＣＯＨ（即ち、Ｒ１１がＨである、ＣＯＲ１１）またはＮであり、特にＣＨである、式Ｉおよび／または式Ｉａで表される化合物、および特に従属式Ｉａ）〜Ｉｎ）で表される化合物並びにこれらの溶媒和物および塩に関する。
【手続補正書】
【提出日】平成17年12月20日(2005.12.20)
【手続補正１】
【補正対象書類名】特許請求の範囲
【補正対象項目名】全文
【補正方法】変更
【補正の内容】
【特許請求の範囲】
【請求項１】
抗生物質産物であって、第一抗生物質用量形態、第二抗生物質用量形態、及び第三抗生物質用量形態を含み、前記第一、第二及び第三抗生物質用量形態は、それぞれ抗生物質と薬理許容担体を含み、前記３個の用量形態は、異なる放出プロファイルを持ち、前記抗生物質産物は約１２時間以下でＣｍａｘに到達し、ここで抗生物質は、レボフロキサシン、メトロニダゾール、テトラサイクリン、ドキシサイクリン、エリスロマイシン、クラリスロマイシン、フルロキニロン、シプロフロキサシン、ベータラクタム抗生物質、セファロスポリン、セフロキシム、セフポドキシム、ペニシリン、アモキシシリン、及びジクロキサシリンより成るグループから選択され、前記第一用量形態は、即時放出用量形態であり、前記第二及び第三用量形態は、それぞれ遅延放出用量形態であり、ここで第一用量形態から放出される抗生物質は、産物の投与後０．５−２時間で血清内でＣｍａｘに到達し、ここで第二用量形態から放出される抗生物質は、産物の投与後４時間以内に、また第一用量形態からの抗生物質がＣｍａｘに到達した後に血清内でＣｍａｘに到達し、また第三用量形態から放出される抗生物質は、産物の投与後８時間以内に、また第二用量形態から放出される抗生物質がＣｍａｘに到達した後に血清内でＣｍａｘに到達することを特徴とする抗生物質産物。
【請求項２】
請求項１記載の産物であって、ここで第二用量形態が、第一用量形態の少なくとも１時間後に抗生物質の放出を開始することを特徴とする産物。
【請求項３】
請求項２記載の産物であって、ここで第二用量形態が、産物の投与の２時間後以降にＣｍａｘに到達することを特徴とする産物。
【請求項４】
請求項３記載の産物であって、ここで第一用量形態が、産物の全抗生物質の重量で２０％乃至約５０％を含有し、ここで第二用量形態が、第二及び第三用量形態に含まれる抗生物質の重量で３０％乃至６０％を含有することを特徴とする産物。
【請求項５】
請求項４記載の産物であって、ここで第一用量形態が、産物内に存在する全抗生物質の重量で１５％乃至３０％を含有することを特徴とする産物。
【請求項６】
請求項１記載の産物であって、ここで前記産物が、第一、第二及び第三用量形態とは異なる放出プロファイルを持つ第四遅延放出抗生物質用量形態を含むことを特徴とする産物。
【請求項７】
請求項６記載の産物であって、ここで第二用量形態が、第二、第三及び第四用量形態に存在する全抗生物質の重量で２０％乃至３５％を含有し、第三用量形態が、第二、第三及び第四用量形態に存在する全抗生物質の重量で２０％乃至４０％を含有し、残りは第四用量形態に存在することを特徴とする産物。
【請求項８】
請求項１記載の産物であって、ここで産物のＣｍａｘが、投与の４時間後以降に到達される事を特徴とする産物。
【請求項９】
第一抗生物質用量形態、第二抗生物質用量形態、および第三抗生物質用量形態の使用法であって、前記第一、第二および第三抗生物質用量形態それぞれは、抗生物質および薬理許容担体を含み、前記３個の用量形態は異なる放出プロファイルを持ち、前記第一、第二および第三用量形態は、約１２時間以下で集合的にＣｍａｘに到達し、ここで抗生物質はレボフロキサシン、メトロニダゾール、テトラサイクリン、ドキシサイクリン、エリスロマイシン、クラリスロマイシン、フルロキニロン、シプロフロキサシン、ベータラクタム抗生物質、セファロスポリン、セフロキシム、セフポドキシム、ペニシリン、アモキシシリン、およびジクロキサシリンより成るグループから選択され、前記第一用量形態は即時放出用量形態であり、前記第二および第三用量形態は遅延放出用量形態であり、ここで第一用量形態から放出される抗生物質は、投与後０．５乃至２時間で血清内Ｃｍａｘに到達し、ここでまた第二用量形態から放出される抗生物質は４時間以下で、かつ第一用量形態からの抗生物質がＣｍａｘに到達した後に血清内Ｃｍａｘに到達し、また第三用量形態から放出される抗生物質は８時間以内で、かつ第二用量形態から放出される抗生物質がＣｍａｘに到達した後に血清内Ｃｍａｘに到達し、宿主にある細菌感染を処置するための１日１回産物への製造に用いられる使用法。
【請求項１０】
請求項９記載の使用法であって、ここで第二用量形態が、第一用量形態の少なくとも１時間後に抗生物質の放出を開始することを特徴とする使用法。
【請求項１１】
請求項１０記載の使用法であって、ここで第二用量形態のＣｍａｘが、産物の投与２時間後以降に到達することを特徴とする使用法。
【請求項１２】
請求項１１記載の使用法であって、ここで前記第一用量形態が、産物の全抗生物質の重量で２０％乃至５０％を含み、ここで前記第二用量形態が、第二および第三用量形態に含まれる抗生物質の重量で３０％乃至６０％を含むことを特徴とする使用法。
【請求項１３】
請求項１２記載の使用法であって、ここで第一用量形態が、産物に存在する全抗生物質の重量で１５％乃至３０％を含むことを特徴とする使用法。
【請求項１４】
請求項９記載の使用法であって、ここで産物が、第一、第二および第三用量形態とは異なる放出プロファイルを持つ第四遅延放出抗生物質用量形態を含むことを特徴とする使用法。
【請求項１５】
請求項１４記載の使用法であって、ここで前記第二用量形態が、第二、第三および第四用量形態に存在する全抗生物質の重量で２０％乃至３５％を含み、第三用量形態は、第二、第三および第四用量形態に存在する全抗生物質の重量で２０％乃至４０％を含み、残りが第四用量形態に存在することを特徴とする使用法。
【請求項１６】
請求項９記載の使用法であって、ここで産物のＣｍａｘが、投与の４時間後以降に到達されることを特徴とする使用法。
【手続補正書】
【提出日】平成18年3月9日(2006.3.9)
【手続補正１】
【補正対象書類名】特許請求の範囲
【補正対象項目名】請求項２１
【補正方法】変更
【補正の内容】
【請求項２１】
炎症性疾患の治療のため、処置を必要とする患者に対して投与される、請求項１９に記載の薬学的組成物。
【手続補正２】
【補正対象書類名】特許請求の範囲
【補正対象項目名】請求項２２
【補正方法】変更
【補正の内容】
【請求項２２】
炎症性疾患が、喘息、成人性呼吸窮迫症候群、慢性閉塞性肺疾患、慢性炎症性肺疾病、糖尿病、炎症性腸疾患、骨粗鬆症、乾癬、移植片対宿主拒絶症、アテローム性動脈硬化症、および（リウマチ性関節炎、乾癬性関節炎、外傷性関節炎、風疹性関節炎、痛風性関節炎、変形性関節炎）を含む関節炎から選択される、請求項２１に記載の薬学的組成物。
【手続補正書】
【提出日】平成18年4月6日(2006.4.6)
【手続補正１】
【補正対象書類名】特許請求の範囲
【補正対象項目名】全文
【補正方法】変更
【補正の内容】
【特許請求の範囲】
【請求項１】
年配被検体における不安障害または気分障害の治療のための、ヒト化抗Ａβ抗体を有効用量で含有する医薬組成物。
【請求項２】
被検体が、アルツハイマー病または長期アミロイド血管症のようなＡβに関連のある状態を有すると診断されている、またはそのおそれがある、請求項１に記載の医薬組成物。
【請求項３】
被検体がＡβに関連する状態に罹患していると診断されていない、または罹患の恐れがあるわけではない、請求項１に記載の医薬組成物。
【請求項４】
障害が、うつ病、大うつ病、小うつ病、大うつ病エピソード、単極性大うつ病、統合失調症、単純恐怖症、対人恐怖症、広場恐怖症、パニック障害、強迫障害および心的外傷後ストレス障害からなる群から選択される、請求項１〜３のいずれか１項に記載の医薬組成物。
【請求項５】
抗Ａβ抗体が配列番号７および配列番号８からなる抗体、配列番号９および配列番号１０からなる抗体、配列番号１１および配列番号１２からなる抗体、配列番号７および配列番号１９からなる抗体、配列番号９および配列番号２０からなる抗体、および配列番号１１および配列番号２１からなる抗体から構成される群から選択される、請求項１〜４のいずれか１項に記載の医薬組成物。
【手続補正書】
【提出日】平成17年6月2日(2005.6.2)
【手続補正１】
【補正対象書類名】明細書
【補正対象項目名】０１００
【補正方法】変更
【補正の内容】
【０１００】
【図１】図１は、神経伝達物質の変化と、鬱病と、神経内分泌の変化と、睡眠障害と、疼痛との間の関係の模式図である。